(57)【特許請求の範囲】
【請求項１】
ハンマーシャンクを打弦直前で制止する位置とハンマーシャンクに接触しない位置とに、緩衝材を回動させる消音機能付きグランドピアノのハンマーシャンクストッパ装置であって、グランドピアノ本体に支持され鍵並び方向に延びる回動軸と、該回動軸の上面を開放した状態で該回動軸に沿って延び上下方向に位置調節可能に取付けられる中間部材と、前記回動軸を上面から貫通して下方へ延び上下方向位置を固定され回転可能に支持された調節ねじとを備え、前記中間部材は、下端部に緩衝材が結合され、該緩衝材の結合部と前記回動軸との間に前記調節ねじへの螺合部を備えていることを特徴とするハンマーシャンクストッパ装置。
【請求項２】
ハンマーシャンクを打弦直前で制止する位置とハンマーシャンクに接触しない位置とに、緩衝材を回動させる消音機能付きグランドピアノのハンマーシャンクストッパ装置であって、鍵並び方向に延びる回動軸と、該回動軸の下側に結合された緩衝材と、前記回動軸の両端部をグランドピアノ本体に取付ける取付け部とを備え、該取付け部は、グランドピアノ本体に固定される固定部材と、該固定部材に対し上下方向に位置調節可能に支持され前記回動軸の端部を支持する可動部材と、該可動部材を上方から貫通して延び下部で前記固定部材に係止する調節ねじと、前記可動部材をピアノ本体に堅固に固定するための締結部材とを備えており、前記調節ねじは、前記固定部材及び可動部材の内の一方に対して回転可能で且つ上下方向の位置を固定され、これらの内の他方に形成された雌ねじに螺合していることを特徴とするハンマーシャンクストッパ装置。
【発明の詳細な説明】
【０００１】
【発明の属する技術分野】
本発明は、ハンマーシャンクを打弦直前で制止する位置とハンマーシャンクに接触しない位置とに、緩衝材を回動させる消音機能付きピアノのハンマーシャンクストッパ装置に関する。
【０００２】
【従来の技術】
消音機能付きのピアノは、通常演奏においては、押鍵によりアクション機構が作動し、ハンマーが弦を打撃する。このとき、弦振動を制止するダンパが持ち上げられて弦から離れる。これにより、弦が振動し共鳴板に響いて音が発せられる。
【０００３】
消音演奏を行なうときは、押鍵時にハンマーが弦を打たないようにすると共に、鍵やハンマー等の動作を検出し、その検出信号を楽音制御回路で処理し、これに基づきヘッドホンの振動板等を駆動して楽音を発生させる。ハンマーが弦を打たないようにする機構としては、例えば、特開平７−１９１６６５号公報に記載されているストッパ装置がある。
【０００４】
図１，図１２及び図１３に、この種のストッパ装置が、グランドピアノに適用された例を示す。このストッパ装置１００は、中・高音側と低音側とに２分割され、弦ＳとハンマーシャンクＣとの間に略同一軸線上に配置された２つの回動軸１０１Ａ、１０１Ｂを備え、その周面の一部に緩衝台１０２Ａ、１０２Ｂを介して緩衝材１０３Ａ、１０３Ｂが取付けられている。
【０００５】
中・高音側回動軸１０１Ａは、一端が、楽器本体の曲練り支柱１０４の高音側内側面に固定されたブラケット１０５Ａ、軸受１０６Ａを介して回転自在に支持され、他端が、中框に固定されたブラケット１０５Ｂに、軸受１０６Ｂを介して回転自在に支持されている。低音側回動軸１０１Ｂは、一端が、前記ブラケット１０５Ｂに軸受１０６Ｃを介して回転自在に支持され、他端が、曲練り支柱１０４の低音側内側面に固定されたブラケットに軸受（図示せず）を介して回転自在に支持されている。
【０００６】
このストッパ装置１００を通常演奏状態と、消音演奏状態とに切り替える切り替え装置１１０が設けられている。この切り替え装置は、鍵盤を支える棚板の前端部下面に取付けられたホルダ１１１と、該ホルダを通るワイヤとを備えている。ホルダ１１１には、摘み１１３が取付けられており、この摘みに２本のワイヤ１１２Ａ、１１２Ｂが結合されている。回動軸１０１Ａ、１０１Ｂの端部には、周面から突出した連結板１１３が固定されている。一方のワイヤ１１２Ａの先端は、曲練り支柱に固定された案内金具１１５を経て中・高音側回動軸の連結板１１４に結合されている。他方のワイヤ１１２Ｂも同様に、図外の案内金具を経て低音側回動軸の連結板に結合されている。
【０００７】
このストッパ装置は、通常演奏時には、摘みがホルダ側へ引っ込んでおり、これに伴って回動軸１０１Ａ、１０１Ｂは、緩衝材１０３Ａ，１０３Ｂが略水平を向くように位置している。したがって、押鍵によりハンマシャンクＣが上方へ回動しても緩衝材１０３Ａ，１０３Ｂに当たることがなく、ハンマＨは弦Ｓを打ち、通常の発音が得られる。
【０００８】
一方、摘み１１３を手前に引くと、ワイヤ１１２Ａ，１１２Ｂが引かれ、連結板１１３を下方へ引き、これに伴って回動軸１０１Ａ，１０１Ｂが回動し、回動軸１０１Ａ、１０１Ｂは緩衝材１０３Ａ，１０３Ｂが下を向くように回動する。したがって、押鍵によりハンマーシャンクＣが上方へ回動すると緩衝材１０３Ａ，１０３Ｂのいずれかにハンマーシャンクが当接し、それ以上の回動を阻止される。これにより、ハンマＨの打弦が回避され、打弦による発音は生じない。このとき同時に、鍵やハンマー等の動作が検出され、その検出信号は楽音制御回路で処理される。したがって、ヘッドホンの端子等を楽音制御回路に接続すれば、該回路からの出力に基づき、ヘッドホン等で楽音を聴くことができる。
【０００９】
また、緩衝材によるハンマーシャンクの制止位置を、打弦位置に近接させることにより、アクションは通常演奏時とほとんど同じ動作をすることになる。したがって、通常演奏時とほとんど同じ鍵のタッチ感が得られる。なお、押鍵により、ダンパが持ち上げられ弦から離脱するので、弦の振動をより確実に制止するため、摘み１１３の引張り操作に連動して弦に接するように下降する制振装置を設ける場合がある。
【００１０】
【発明が解決しようとする課題】
上記ストッパ装置は、消音演奏の際にも、前述のように通常演奏とほとんど同じタッチ感が得られる点で優れている。しかしながら、そのためには、緩衝材によるハンマーシャンクの制止位置を精度良く設定する必要がある。このため、回動軸の高さ調整が必要となる。従来、この調整は、回動軸１０１Ａ，１０１Ｂを支持するブラケット１０５Ａ，１０５Ｂ等の取付けビスを緩めた後、ブラケットの位置を上下して調整し、再び取付けビスを締めるというようにして行なっていた。したがって、調整には、鍵盤及びアクションを棚板上の設置位置から引き出し、ブラケットの位置を調整し、再び鍵盤及びアクションを棚板上の設置位置に戻すという作業を行なう必要があった。これをどの回動軸についても行なわねばならないため、鍵盤及びアクションの引き出しと戻しの作業を複数回に亘って行なう場合もあり、調整に手間と時間とを要していた。
【００１１】
この他、消音機能付きアップライトピアノの場合にも、同様の調整が行なわれる。また、ハンマーシャンクと連動する部材（アップライトピアノの場合には、キャッチャーやキャッチャーシャンク）に接触することにより、ハンマーを打弦直前位置で制止することも可能であるが、この場合にも、緩衝材を支持する回動軸を同様のブラケットの位置調節で行なえば、前述同様に調整に手間と時間を要することになる。
【００１２】
ここでは、消音のための動作制止の対象となるハンマーシャンク及びこれと連動する部材を含めてハンマーアセンブリと称することとする。
【００１３】
本発明は、以上のような従来技術の問題点を解消し、緩衝材によるハンマーシャンクの制止位置の調整を精度良く且つ簡便に行なうことができる消音機能付きグランドピアノのハンマーシャンクストッパ装置を提供することを目的とする。
【００１４】
【課題を解決するための手段】
本発明の前記目的は、ハンマーシャンクを打弦直前で制止する位置とハンマーシャンクに接触しない位置とに、緩衝材を回動させる消音機能付きグランドピアノのハンマーシャンクストッパ装置であって、グランドピアノ本体に支持され鍵並び方向に延びる回動軸と、該回動軸の上面を開放した状態で該回動軸に沿って延び上下方向に位置調節可能に取付けられる中間部材と、前記回動軸を上面から貫通して下方へ延び上下方向位置を固定され回転可能に支持された調節ねじとを備え、前記中間部材は、下端部に緩衝材が結合され、該緩衝材の結合部と前記回動軸との間に前記調節ねじへの螺合部を備えていることを特徴とするハンマーシャンクストッパ装置により達成される。（第１発明）
【００１５】
本発明の前記目的はまた、ハンマーシャンクを打弦直前で制止する位置とハンマーシャンクに接触しない位置とに、緩衝材を回動させる消音機能付きグランドピアノのハンマーシャンクストッパ装置であって、鍵並び方向に延びる回動軸と、該回動軸の下側に結合された緩衝材と、前記回動軸の両端部をグランドピアノ本体に取付ける取付け部とを備え、該取付け部は、グランドピアノ本体に固定される固定部材と、該固定部材に対し上下方向に位置調節可能に支持され前記回動軸の端部を支持する可動部材と、該可動部材を上方から貫通して延び下部で前記固定部材に係止する調節ねじと、前記可動部材をピアノ本体に堅固に固定するための締結部材とを備えており、前記調節ねじは、前記固定部材及び可動部材の内の一方に対して回転可能で且つ上下方向の位置を固定され、これらの内の他方に形成された雌ねじに螺合していることを特徴とするハンマーシャンクストッパ装置により達成される。（第２発明）
【００１６】
【実施の形態】
以下、本発明の実施形態について添付図面を参照しつつ説明する。説明に用いる図面においては、同一又は同種の部分に同じ番号を付して説明を省略することがある。
【００１７】
図２及び図３は、本発明に係るハンマーシャンクストッパ装置の一実施形態を示している。以下の実施形態の図では、図１２に示した切り替え装置１１０及びその連結部分である連結板１１４等は省略されている。このストッパ装置１０は、曲練り支柱や中框等のグランドピアノ本体に支持され鍵並び方向に延びる回動軸１と、横断面Ｌ字状をなし回動軸１の上面を開放した状態で該回動軸に沿って延びる中間部材２と、回動軸１を上面から貫通して下方へ延びる調節ねじ３とを備えている。
【００１８】
回動軸１には、調節ねじ３を緩く通す貫通孔が形成されており、調節ねじ３は、該貫通孔に通された後、係止片３０を回動軸１下面に接するように嵌められる。これにより、調節ねじ３は、回動軸１に対し、上下方向位置を固定された状態で回転可能となる。
【００１９】
係止片３０としては、図４（ａ）に示すような棒状部材へ嵌めた後戻り止め作用をなす弾性変形片を内周側へ突出させたリング（スピードナット）や、Ｃ字形状をなし、中央部に内周側へ突出する係止片をスナップリング（Ｅリング）等を用いることができる。また、係止片３０として、図６に示すように、回動軸１の周面に沿うＣ字状の湾曲片３１とすることもできる。この湾曲片３１は、図６（ｂ）に示すように、基部３１ａの先端側が２つに分かれた分岐部３１ｂとなっており、その間に調節ねじ３が通される。湾曲片３１は、回動軸１の周面を半周以上に亘って覆う長さを有しており、回動軸１の径より僅かに小さい径を有している。したがって、回動軸１に嵌められたときに弾性力により回動軸１上に固定される。係止片として、上記スナップリング又は湾曲片３１を用いる場合は、調節ねじ３におけるリング嵌合位置に溝を形成する。
【００２０】
回動軸１における中間部材２と反対側の面には、雌ねじが形成され、そこに止めねじ５が螺入される。この止めねじ５を締結することにより、位置調節後の調節ねじ３を確実に固定することができる。
【００２１】
回動軸１の中間部材２側の側面には軸方向に離れた２箇所以上の位置に雌ねじが切られたねじ孔１ａが形成されており、中間部材２の垂直壁におけるねじ孔１ａに対応する位置には、ねじ孔１ａよりやや幅広で縦方向に延びる長孔２０が形成されている。中間部材２は、長孔２０を経て回動軸１のねじ孔１ａに固定ねじ２１を螺入して取付けられており、固定ねじを緩めることにより、上下方向に位置を調節することができる。
【００２２】
中間部材２下端部の水平壁下面には、緩衝材４が接着されている。また、中間部材２の水平壁の上面にはナット部材２２が溶接、接着等により固着されており、該ナット部材２２には調節ねじ３に螺合する雌ねじが切られている。
【００２３】
このハンマーシャンクストッパ装置は、以下のようにして使用される。先ず、次のように装置を組み立てる。回動軸１に中間部材２を取付ける。これは、中間部材２を回動軸１にあてがい、長孔２０から回動軸１の雌ねじ１ａに固定ねじ２１を螺入することにより行なう。次に、調節ねじ３を回動軸１の貫通孔に通し、係止片３０を先端側から途中位置まで嵌め、先端部をナット部材２２に或る程度螺入する。この状態で、係止片を回動軸１下面に接するように位置させ、調節ねじ３の上下位置を固定する。さらに、回動軸１に止めねじを螺入する。
【００２４】
こうして組み立てられた装置をピアノ本体に取付ける。これは、回動軸１をピアノ本体に固定することにより行なわれる。回動軸１のピアノ本体への取付けは、端部をブラケットで支持することにより行なう等、従来と同様に行なうことができる。この後、アクション及び鍵盤をピアノ本体の所定位置に設置する。
【００２５】
設置後は、次のようにして緩衝材の高さ調節を行なう。図５に示すように、上記組立状態において、固定ねじ２１を緩め、調節ねじ３をドライバで必要量回転する。調節ねじ３は、回動軸１に対して上下方向位置を固定されているので、この回転により、中間部材２が上下に移動する。したがって、鍵を押しハンマＨを打弦方向へ動作させながら、打弦直前の適正な位置で緩衝材４がハンマーシャンクＣに接して制止するように、中間部材２の位置を調節する。位置が決まれば、固定ねじ２１を締めて中間部材２を回動軸１に固定する。さらに、止めねじ５を締めて調節ねじ３を固定する。中間部材２は、緩衝材４を介して押鍵によるハンマーシャンクＣからの加圧力を繰り返し受けるが、上記のようにねじを締結することにより、堅固に回動軸１に保持されるので、ずれが確実に防止される。
【００２６】
調節ねじ３、固定ねじ２１及び止めねじ５を設ける位置は、弦が張られれている領域を外してピアノフレームのリブ付近に設けることができ、これにより、回動軸１の上方及び前後方向から自由にねじの締緩操作をすることができる。尤も、弦が張られた位置にこれらのねじを設けることもでき、この場合は、弦の隙間から操作を行なうことになる。
【００２７】
図７は、本発明に係るハンマーシャンクストッパ装置の他の実施形態を示している。このストッパ装置１０Ａは、回動軸１に前述の例と同じ調節ねじ３を挿入し係止片３０により上下方向に固定する点、及び止めねじ５を有する点は同じである。この例においては、中間部材２Ａは、断面Ｌ字状でなく、断面角形の棒材であり、その上面に調節ねじ３下部のねじ部に螺合する雌ねじ孔１ｂが形成されている。係止片３０と中間部材２Ａとの間には、これらを離反させる方向に作用する圧縮コイルばね６が嵌められている。中間部材２Ａの下面には、前述と同様の緩衝材４が接着されている。
【００２８】
このストッパ装置１０Ａは、調節ねじ３を回動軸１に挿入し、係止片３０を装着した後、コイルばね６を嵌め、中間部材２Ａの雌ねじ孔１ｂに調節ねじ３を螺入することにより組み立てられる。そして、ピアノ本体への取付けは、前述と同様に行なわれる。その後の緩衝材４の高さ調節は、単に調節ねじ３を回転するだけで行える。調節ねじ３との螺合位置により決まる中間部材２Ａの上下位置は、コイルばね６の作用でねじ係合のバックラッシュやがたつきが防止されるので、精度よく得られる。調節後は、止めねじ５により、調節ねじ３の回転が防止され、緩衝材位置の堅固な保持が可能となる。
【００２９】
図８から図１０は、本発明に係るハンマーシャンクストッパ装置のさらに他の実施形態を示している。このストッパ装置１０Ｂは、中間部材２Ｂが断面角形の棒材であり、下面に緩衝材４が接着されている点において、図７の例と同じである。この例における回動軸１Ｂは、断面形状が、両端部１Ｂｎでは回転可能な支持のために円形とされ、中央部１Ｂｍでは後述する調節ねじ及び止めねじの操作性のため矩形とされている。中央部１Ｂｍの両端部には、各々、上面から貫通して下方へ延びる調節ねじ３Ｂと、その両側において調節ねじ３Ｂに平行に延びる止めねじ５Ｂとが設けられている。調節ねじ３Ｂは、回動軸１Ｂの貫通孔に緩く通され、拡径されたヘッドを回動軸１Ｂに支持されることにより、回動軸１Ｂに対し、上下方向位置を固定された状態で回転可能となっている。そして、調節ねじ３Ｂの下部は、中間部材２Ｂのねじ孔に螺合している。止めねじ５Ｂは、回動軸１Ｂのねじ孔に螺合し、下端を中間部材２Ｂの上面に当接させている。
【００３０】
このストッパ装置１０Ｂは、調節ねじ３Ｂを回動軸１Ｂに挿入し、下部を中間部材のねじ孔１ｂに螺合させ、止めねじ５Ｂを回動軸１Ｂに螺合して先端部を中間部材２Ｂに当接させることにより組み立てられる。そして、ピアノ本体への取付けは、前述と同様に行なわれる。緩衝材４の高さ調節は、止めねじ５Ｂをやや上方に位置させた状態で、調節ねじ３を回転して行なう。調節後は、止めねじ５Ｂを回転して下方へ送り、中間部材２Ｂにしっかりと当接させることにより、調節ねじ３Ｂのバックラッシュ及び緩みが防止され、緩衝材位置の堅固な保持が可能となる。
【００３１】
前述の各実施形態において、回動軸１に対する間隔が調整可能となるように緩衝材４を支持する構造として、調節ねじ３，３Ｂに代えて、長手方向に多数の係止溝を備えた調節ピンを用い、中間部材２，２Ａ，２Ｂには、ねじ孔に代えて前記調節ピンを摺動可能に受け入れる直線状孔と、前記調節ねじの螺合部付近で該孔に径方向に通じる貫通孔とを設け、該貫通孔に抜き差し自在に係止ピンを挿入したものを採用することもできる。これによれば、調節ピンの中間部材に対するの挿入位置を調節し、その位置で係止ピンを押し込んで調節ピンに係止すれば、ハンマーシャンクに対する緩衝材の位置の調整及び固定が可能となる。調節ピンの固定をより確実にするために、係止ピンは、中間部材に支持させたばね等により、調節ピンに向かう方向へ付勢されているのが望ましい。
【００３２】
図１１は、本発明に係るハンマーシャンクストッパ装置のさらに他の実施形態を示している。このストッパ装置１０Ｂにおいては、高さ調節は、回動軸１Ｃとピアノ本体との間に設けられる取付け部７により行なわれる。該取付け部７は、曲練り支柱や中框等のグランドピアノ本体Ｌに固定される固定部材８と、該固定部材に対し上下方向に位置調節可能に支持され回動軸１Ｃの端部を支持する可動部材９と、これら固定部材８及び可動部材９を貫通して上下方向に延びる調節ねじ３Ｃと、可動部材９をピアノ本体Ｌに堅固に固定するための締結ねじ９０とを備えている。
【００３３】
固定部材８及び可動部材９は、ともにＬ字状をなし、その水平部分を固定部材８は下、可動部材９は上にし、垂直部分を相互に重ねて用いられる。この実施形態では、可動部材９の垂直部分がピアノ本体に接し、固定部材８の垂直部分がその上に重ねられる。可動部材９の水平部分には調節ねじ３Ｃを緩く通す貫通孔９１が形成され、その上面には回動軸１Ｃの端部を通す支持筒９２が固着され、該支持筒には、通された回動軸１Ｃを固定する止めねじ９３が螺着されている。固定部材８の水平部分には調節ねじ３Ｃに螺合するねじ孔８０が設けられている。
【００３４】
調節ねじ３Ｃは、可動部材９の貫通孔９１を上方から貫通して延び下部で固定部材８のねじ孔８０に螺合する。固定部材８の垂直部分には締結ねじ９０を緩く通す通し孔８１が２乃至４箇所に形成され、可動部材９の垂直部分には締結ねじ９０を通す縦長の長孔９２が通し孔８１に対応する位置に形成されている。
【００３５】
このハンマーシャンクストッパ装置は、次のようにして使用される。まず、固定部材８及び可動部材９を前述のように相互に位置させ、可動部材９の貫通孔９１に調節ねじ３Ｃを通し、係止片３０を装着して可動部材９に対して上下方向位置を固定し、さらに固定部材８のねじ孔に螺合させる。可動部材９の支持筒９２に回動軸１Ｃの端部を通し、止めねじ９３を締結して固定する。次に、可動部材９を固定部材８と重ねた状態でピアノ本体の所定位置にあてがい、締結ねじ９０を固定部材８の通し孔８１及び可動部材９の長孔９２に通し、ピアノ本体に緩く螺入して、これらを仮り止めする。その後、ピアノ本体の棚板上の適性位置に鍵盤及びアクションを設置する。
【００３６】
この状態で、調節ねじ３Ｃを回転すると、調節ねじ３Ｃは可動部材９に対して上下位置を固定されているので、固定部材８のねじ孔に対する上下方向への進退動に伴って、可動部材９を上下に移動させる。これにより、回動軸１Ｃ及び緩衝材４の高さを調節することができる。高さ調節が終われば、締結ねじ９０を締め付けることにより、可動部材９を固定部材８と共にピアノ本体に固定する。この高さ調節は、回動軸１Ｃの他端においても同様に行なわれる。
【００３７】
また、回動軸１Ｃを楽器本体に対して位置調節可能となるように支持する取付け部の構造として、調節ねじ３Ｃに代えて、長手方向に多数の係止溝を備えた調節ピンを用い、固定部材８には、ねじ孔に代えて前記調節ピンを摺動可能に受け入れる直線状孔と、前記調節ねじの螺合部付近で該孔に径方向に通じる貫通孔とを設け、該貫通孔に抜き差し自在に係止ピンを挿入したものを採用することもできる。これによれば、調節ピンの固定部材に対する挿入位置を調節し、その位置で係止ピンを押し込んで調節ピンに係止すれば、ハンマーシャンクに対する緩衝材の位置の調整及び固定が可能となる。調節ピンの固定をより確実にするために、係止ピンは、固定部材に支持させたばね等により、調節ピンに向かう方向へ付勢されているのが望ましい。
【００３８】
なお、取付け部７の構造としては、上記以外に種々の形態をとり得る。例えば、上記に代えて、調節ねじ３Ｃに螺合するねじ孔を可動部材９の水平部分に形成し、調節ねじ３Ｃを緩く通す通し孔を固定部材８に形成してもよい。この場合は、係止片３０は可動部材９から外し、固定部材８のねじ孔の両側で調節ねじ３Ｃに嵌める。
【００３９】
上記いずれのハンマーシャンクストッパ装置においても、図１２に示した切り替え装置１１０又はこれと同様の機能を奏する切り替え装置と協働するようにグランドピアノに設置される。
【００４０】
以上の説明では、グランドピアノを対象にしたが、アップライトピアノについても同様に本発明を適用することができる。また、ストッパ装置は、ハンマーシャンクの他、ハンマーシャンクと連動する部材と接触する構造としてもよい。例えば、アップライトピアノの場合には、キャッチャーやキャッチャーシャンクに接触することにより、ハンマーを打弦直前位置で制止することも可能である。
【００４１】
【発明の効果】
以上から明らかなように、本発明によれば、ハンマーシャンクに接触してその動作を打弦直前で制止するための位置とハンマーシャンクに接触しない位置とに、選択的に緩衝材を回動させ、これらに応じて消音状態及び発音可能状態を切り替える消音機能付きピアノのハンマーシャンクストッパ装置において、以下の効果を得ることができる。
【００４２】
第１発明においては、楽器本体に支持され鍵並び方向に延びる回動軸と、前記回動軸に沿って延び、該回動軸に対する間隔が調整可能となるように前記緩衝材を支持する中間部材と、前記中間部材の回動軸に対する相対位置を固定するための固定部材とを備えている。したがって、中間部材の位置を調節して回動軸に対する緩衝材の間隔を調整すれば、ハンマーシャンクに対する緩衝材の位置が調整されるので、その位置で固定部材により固定すればよい。その結果、鍵盤やアクションをピアノ本体から引き出さずに、回動軸をピアノ本体に取付けた状態で、ハンマーシャンクの制止位置の調整を精度よく且つ簡便に行なうことができる。
【００４３】
また、第２発明においては、鍵並び方向に延び緩衝材を支持する回動軸と、該回動軸を楽器本体に対して位置調節可能に支持する取付け部と、前記回動軸を調節位置で楽器本体に対し固定するための固定部材とを備えている。したがって、取付け部により回動軸の位置を調節すれば、ハンマーシャンクに対する緩衝材の位置が調整されるので、その位置で固定部材により固定すればよい。この場合も、鍵盤やアクションをピアノ本体から引き出さずに、回動軸をピアノ本体に取付けた状態で、ハンマーシャンクの制止位置の調整を精度よく且つ簡便に行なうことができる。
【図面の簡単な説明】
【図１】  ハンマーシャンクストッパ装置の取付け位置をグランドピアノのアクションを中心に示す縦断側面図である。
【図２】  本発明の一実施形態に係るストッパ装置の縦断側面図である。
【図３】  図２のストッパ装置を一部切欠いて示す斜視図である。
【図４】  図２のストッパ装置に使用される係止片の例を示す平面図である。
【図５】  図２のストッパ装置の仕様状態をハンマ等と共に示す縦断側面図である。
【図６】  図２のストッパ装置に使用し得る係止片の他の例を示す図である。
【図７】  本発明の他の実施形態に係るストッパ装置の縦断側面図である。
【図８】  本発明のさらに他の実施形態に係るストッパ装置の斜視図である。
【図９】  図８のストッパ装置の正面図である。
【図１０】  図８のストッパ装置の縦断側面図である。
【図１１】  本発明のさらに他の実施形態に係るストッパ装置の縦断正面図である。
【図１２】  従来のストッパ装置及びその切り替え装置を示す斜視図である。
【図１３】  図１２に示す従来のストッパ装置の他の部分を示す斜視図である。
【符合の説明】
１，１Ｃ…回動軸、    ２，２Ａ…中間部材、    ３，３Ｃ…調節ねじ、    ４…緩衝材、    ７…取付け部、    ８…固定部材、    ９…可動部材、    １０，１０Ａ，１０Ｂ……ストッパ装置、    ９０…締結ねじ（締結部材）、    Ｃ…ハンマーシャンク、    Ｈ…ハンマ、    Ｓ…弦
【図１】
0003835538.tif 000002
【図２】
0003835538.tif 000003
【図３】
0003835538.tif 000004
【図４】
0003835538.tif 000005
【図５】
0003835538.tif 000006
【図６】
0003835538.tif 000007
【図７】
0003835538.tif 000008
【図８】
0003835538.tif 000009
【図９】
0003835538.tif 000010
【図１０】
0003835538.tif 000011
【図１１】
0003835538.tif 000012
【図１２】
0003835538.tif 000013
【図１３】
0003835538.tif 000014